(57)【要約】【課題】動画像におけるショット境界のあいまい性を定量的に算出することにより、その動画像の質を評価する際の指標の一つとして利用可能な動画像評価装置を提供する。【解決手段】動画像におけるショット境界が事前に判明している場合は、ショット境界判定部１２が、ショット境界情報に基づいて動画像におけるショット境界を判定し、画素差分分布算出部１３が、現フレーム及び直前フレームから、ショット境界を含む場合のフレーム間の画素における差分値の分布を算出すると共に、ショット境界を含まない場合のフレーム間の画素における差分値の分布を算出する。そして、ショット境界あいまい性算出部１４が、前記両分布間において近接度合い求め、それをあいまい性の値として算出する。【選択図】図１
2008124611.tif 000002
【特許請求の範囲】
【請求項１】
動画像におけるショット境界のあいまい性を評価する動画像評価装置において、
動画像におけるショット境界を判定するショット境界判定部、
動画像を構成する隣接した２つのフレームについて、ショット境界を含む場合のフレーム間の画素における差分値の分布を算出すると共に、ショット境界を含まない場合のフレーム間の画素における差分値の分布を算出する画素差分分布算出部、及び、
動画像を構成する全てのフレームについて、前記ショット境界を含む場合のフレーム間の画素における差分値の分布と、前記ショット境界を含まない場合のフレーム間の画素における差分値の分布との間の近接度合いを、あいまい性の値として算出するあいまい性算出部を備えたことを特徴とする動画像評価装置。
【請求項２】
請求項１に記載の動画像評価装置において、
前記ショット境界判定部が、予め設定されたショット境界のフレーム番号に基づいてショット境界を判定することを特徴とする動画像評価装置。
【請求項３】
請求項１に記載の動画像評価装置において、
前記ショット境界判定部が、予め設定された時間間隔のタイミングにて、動画像におけるショット境界であると判定することを特徴とする動画像評価装置。
【請求項４】
請求項１から３までのいずれか一項に記載の動画像評価装置において、
前記画素差分分布算出部が、ショット境界を含む場合及び含まない場合のフレーム間の画素における差分値の分布を、その画素の輝度値、色相値及び彩度のうちのいずれかにより算出することを特徴とする動画像評価装置。
【請求項５】
請求項１から４までのいずれか一項に記載の動画像評価装置において、
前記画素差分分布算出部が、動画像を構成する隣接した２つのフレームについて、ショット境界を含む場合及び含まない場合のフレーム間の画素における差分値の出現頻度を該差分値毎に算出し、前記算出した差分値毎の出現頻度を、動画像を構成する全てのフレームについて加算して正規化し、動画像全体に対する差分値毎の分布を算出し、
前記あいまい性算出部が、前記ショット境界を含む場合の動画像全体に対する差分値毎の分布と、前記ショット境界を含まない場合の動画像全体に対する差分値毎の分布との間の近接度合いを、あいまい性の値として算出することを特徴とする動画像評価装置。
【発明の詳細な説明】
【技術分野】
【０００１】
本発明は、動画像を評価する装置に関し、特に、動画像におけるショット境界のあいまい性（ショット境界の検出の難しさ）を算出する装置に関する。
【背景技術】
【０００２】
一般に、１台のカメラを用いて連続して撮影した動画像の区間をショットといい、その切り替え点をショット境界という。動画像からこのショット境界を検出して画像の切り替えを行う手法が知られている。例えば、瞬時にショットの切り替えを行うカット、複数のフレームに渡って徐々に動画像の切り替えを行うディゾルブやワイプの手法がある。ショットは動画像の基本単位であるから、動画像の要約や検索等を行う際には、動画像をショットに分割するために、ショット境界の検出が必要不可欠となる。
【０００３】
ショット境界は、動画像を構成する連続したフレームの類似性を求めることにより検出することができる。これは、同じショットの区間に属する連続した２枚のフレームは類似性が高く、ショット境界の２枚のフレームは類似性が低いという知識によるものである。ショット境界を正確に検出するためには、連続したフレームの類似性を求めるアルゴリズム、及びショット境界であることを判定する場合の閾値となる類似性の程度について検討する必要がある。
【０００４】
しかしながら、前述したフレームの類似性を求める手法では、対象とする動画像の内容によって大きく影響を受けてしまう。例えば、スポーツを対象とする動画像では、被写体及びカメラが激しく動くから、ショット境界と被写体等の動きとを正確に区別できるようにするため、多くの計算時間を要するブロックマッチング等の複雑なアルゴリズムを用いる必要がある。これに対し、カメラの動きがほとんどない動画像では、輝度差分和等のような単純で高速に演算可能なアルゴリズムを用いればよい。
【０００５】
ここで、スポーツを対象とする動画像のように、ショット境界とそれ以外とを区別することが困難な動画像を、ショット境界があいまいな動画像という。この場合、動画像におけるショット境界のあいまい性（ショット境界の検出の難しさ）を示す値は大きくなり、ショット境界の検出は難しくなる。
【０００６】
従来、動画像評価装置は、動画像におけるフレーム間の類似性の程度を示すフレーム間類似度を、以下の（１）式に示すような輝度差分和等の単純な演算式により算出し、ショット境界を検出し（非特許文献１及び２を参照）、その検出率及び誤検出率に基づいてショット境界のあいまい性を算出していた。
【数１】
2008124611.tif 000003
ここで、Ｄｉｆｆはフレーム間類似度を示し、ｆｔ（ｘ，ｙ）は、フレームｔにおいて、そのフレームの座標（ｘ，ｙ）における画素値（例えば輝度値）を示す。
【０００７】
また、人が動画像を閲覧し、カメラの動きや画像の変化量等を総合的に観ることにより、ショット境界のあいまい性を評価する手法もある。
【０００８】
【非特許文献１】大辻清太、他２名、「突出フィルタを用いた映像カット点検出法」、電子情報通信学会論文誌Ｄ−II、Ｖｏｌ．Ｊ７７−ｄ−II、Ｎｏ．３、ｐｐ５１９−５２８、１９９４年３月
【非特許文献２】長坂晃朗、田中譲、「カラービデオ映像における自動索引付け法と物体探索法」、情報処理学会論文誌、Ｖｏｌ．３３、Ｎｏ．４、Ａｐｒ．１９９２
【発明の開示】
【発明が解決しようとする課題】
【０００９】
従来のショット境界のあいまい性を算出する動画像評価装置は、輝度差分和等の演算式を用いているから、定量的な算出が可能である。しかしながら、動画像に含まれる全てのショット境界の正確な位置を事前に把握しておく必要があり、必ずしもその位置を事前に把握することができないという問題があった。
【００１０】
また、閾値等の変数が存在する場合には、あらゆる動画像に対して良好な算出結果を得るために、適切な変数を決定しておく必要があるが、変数を決定するための規則を検討する必要があり、その決定が困難であるという問題があった。
【００１１】
さらに、人が主観的にあいまい性を評価する手法では、同一人物が評価した複数の動画像に対して相対的に比較して評価することが可能であるが、その評価の基準は人の感性によるところが大きく、定量的に評価することができないという問題があった。
【００１２】
そこで、本発明は前記課題を解決するためになされたものであり、その目的は、動画像におけるショット境界のあいまい性を定量的に算出することにより、その動画像の質を評価する際の指標の一つとして利用可能な動画像評価装置を提供することにある。
【課題を解決するための手段】
【００１３】
上記課題を解決するため、本発明は、動画像を構成する隣接した２つのフレームについて、ショット境界を含む場合のフレーム間の画素における差分値の分布と、ショット境界を含まない場合のフレーム間の画素における差分値の分布とを算出し、これらの分布の近接度合い（距離）によってショット境界に対するあいまい性を算出する。
【００１４】
すなわち、本発明による動画像評価装置は、動画像におけるショット境界のあいまい性を評価する動画像評価装置において、動画像におけるショット境界を判定するショット境界判定部、動画像を構成する隣接した２つのフレームについて、ショット境界を含む場合のフレーム間の画素における差分値の分布を算出すると共に、ショット境界を含まない場合のフレーム間の画素における差分値の分布を算出する画素差分分布算出部、及び、動画像を構成する全てのフレームについて、前記ショット境界を含む場合のフレーム間の画素における差分値の分布と、前記ショット境界を含まない場合のフレーム間の画素における差分値の分布との間の近接度合いを、あいまい性の値として算出するあいまい性算出部を備えたことを特徴とする。
【００１５】
また、ショット境界が事前に判明している場合は、前記ショット境界判定部が、予め設定されたショット境界のフレーム番号に基づいてショット境界を判定することが好適である。また、ショット境界が事前に判明していない場合は、前記ショット境界判定部が、予め設定された時間間隔のタイミングにて、動画像におけるショット境界であると判定することが好適である。
【００１６】
また、前記画素差分分布算出部が、ショット境界を含む場合及び含まない場合のフレーム間の画素における差分値の分布を、その画素の輝度値、色相値及び彩度のうちのいずれかにより算出することが好適である。
【００１７】
また、前記画素差分分布算出部が、動画像を構成する隣接した２つのフレームについて、ショット境界を含む場合及び含まない場合のフレーム間の画素における差分値の出現頻度を該差分値毎に算出し、前記算出した差分値毎の出現頻度を、動画像を構成する全てのフレームについて加算して正規化し、動画像全体に対する差分値毎の分布を算出し、前記あいまい性算出部が、前記ショット境界を含む場合の動画像全体に対する差分値毎の分布と、前記ショット境界を含まない場合の動画像全体に対する差分値毎の分布との間の近接度合いを、あいまい性の値として算出することが好適である。
【発明の効果】
【００１８】
以上のように、本発明によれば、動画像におけるショット境界のあいまい性を定量的に算出することができ、その動画像の質を評価する際の指標の一つとして利用可能な動画像評価装置を実現することが可能となる。
【発明を実施するための最良の形態】
【００１９】
以下、本発明を実施するための最良の形態について図面を用いて詳細に説明する。
本発明を実施するための最良の形態は、実施例１及び実施例２により具現化できる。実施例１は、動画像に含まれるショット境界が事前に判明している場合を想定しており、実施例２は、動画像に含まれるショット境界が事前に判明していない場合を想定している。実施例１では、動画像のフレーム間にショット境界を含む場合の画素差分分布、及びショット境界を含まない場合の画素差分分布に基づいてショット境界のあいまい性を算出する。これに対し、実施例２では、動画像において経験的に得られているショット境界の出現頻度により、仮想的なショット境界（以下、みなしショット境界という。）を設定する。そして、動画像のフレーム間にみなしショット境界を含む場合の画素差分分布、及びみなしショット境界を含まない場合のフレーム間の画素差分分布に基づいてショット境界のあいまい性を算出する。以下、実施例１及び２について詳細に説明する。
【実施例１】
【００２０】
まず、実施例１について説明する。前述のように、実施例１は、動画像に含まれるショット境界が事前に判明している場合の例である。図１は、本発明の実施の形態による実施例１の動画像評価装置の構成を示すブロック図である。また、図２は、実施例１の処理手順を示すフローチャート図である。この動画像評価装置１は、動画像入力部１１、ショット境界判定部１２、画素差分分布算出部１３、ショット境界あいまい性算出部１４、ショット境界情報記憶部２１、フレーム記憶部２２、及び画素差分分布記憶部２３を備えている。
【００２１】
動画像入力部１１は、番組単位または映像クリップ単位の動画像を入力し、この動画像からフレームを時系列に順次取り出し、取り出したフレームをショット境界判定部１２に出力する（ステップＳ２１）。
【００２２】
ショット境界判定部１２は、動画像入力部１１からフレームを入力し、ショット境界情報記憶部２１からショット境界情報を読み出す。ここで、ショット境界情報記憶部２１には、ショット境界となるフレーム番号（ショットにおける先頭のフレーム番号）であるショット境界情報が予め格納されている。そして、ショット境界判定部１２は、入力したフレーム及びショット境界情報に基づいて、そのフレームの番号がショットの先頭フレーム番号であるか否か（そのフレームがショットの先頭フレームであるか否か）を判定し、そのフレームが先頭フレームである場合はショット境界有の信号を画素差分分布算出部１３に出力し、そのフレームが先頭フレームでない場合はショット境界無の信号を画素差分分布算出部１３に出力する（ステップＳ２１）。また、そのフレームを現フレームとしてフレーム記憶部２２に格納する。これにより、フレーム記憶部２２には、時系列のフレームが格納される。
【００２３】
画素差分分布算出部１３は、ショット境界判定部１２からショット境界有無信号を入力し、フレーム記憶部２２から現フレーム及び直前フレーム（現フレームの直前にフレーム記憶部２２に格納されたフレーム）を読み出す。
【００２４】
そして、ショット境界有の信号の場合（現フレームがショットの先頭フレームである場合）に、直前フレーム（直前のショットの最終フレーム）と現フレーム（ショットの先頭フレーム）との間の画素の差分を算出し（ステップＳ２２）、フレーム間にショット境界を含む場合の分布として画素差分分布記憶部２３に格納する（ステップＳ２３）。また、ショット境界無の信号の場合（現フレームがショットの先頭フレームでない場合）に、直前フレームと現フレーム（直前フレームが属するショットと同一のショットのフレーム）との間の画素の差分を算出し（ステップＳ２２）、フレーム間にショット境界を含まない場合の分布として画素差分分布記憶部２３に格納する（ステップＳ２３）。このようにして、画素差分分布記憶部２３には、動画像全体の画素差分分布が、ショット境界を含む場合と含まない場合とに区別して格納される。
【００２５】
具体的には、画素差分分布算出部１３は、以下の式により、直前フレームと現フレームとの間の画素の差分から、フレーム間の画素差分分布を、ショット境界を含む場合と含まない場合とに区別してそれぞれ算出する。
【数２】
2008124611.tif 000004
ここで、ｆｔ１（ｘ，ｙ）は直前フレームｔ１の座標（ｘ，ｙ）における画素値を示し、ｆｔ２（ｘ，ｙ）は現フレームｔ２の座標（ｘ，ｙ）における画素値を示し、ｖは座標（ｘ，ｙ）におけるフレーム間の画素差分値を示す。また、Ｈｉｓｔｇｒａｍは、フレームｔ１とフレームｔ２との間の画素差分分布であり、画素差分値がｖであるものの出現頻度を示す。
【００２６】
尚、画素差分分布算出部１３は、画素値ｆｔ１（ｘ，ｙ），ｆｔ２（ｘ，ｙ）を用いて画素差分分布を算出するようにしたが、この画素値は輝度値、色相値、彩度を含む概念である。また、画素差分分布算出部１３は、画素値の差分の絶対値｜ｆｔ１（ｘ，ｙ）−ｆｔ２（ｘ，ｙ）｜を用いて画素差分分布を算出するようにしたが、画素値の差分の絶対値の代わりに、画素値の差分の絶対値の２乗を用いて画素差分分布を算出するようにしてもよい。
【００２７】
また、画素差分分布算出部１３は、以下の式により、前述の（２）式に示すフレーム間の画素差分分布をそれぞれ加算し、動画像全体のフレーム数で正規化することにより、動画像全体に対する画素差分分布を、ショット境界を含む場合と含まない場合とに区別してそれぞれ算出する。
【数３】
2008124611.tif 000005
ここで、Ｈｉｓｔは動画像全体に対する画素差分分布を示し、ｔｎはフレーム番号ｎのフレームを示し、Ｔは、動画像全体におけるショット境界を含む場合のフレーム総数または含まない場合のフレーム総数を示す。
【００２８】
図５は、画素差分分布算出部１３により算出された動画像全体における画素差分分布Ｈｉｓｔ（ｖ）例を示す図である。横軸が画素の差分値、縦軸がその出現頻度を示している。尚、縦軸の画素の差分値は、画素値を０から２５５までの２５６段階で量子化されている。図５によれば、ショット境界を含む場合には、画素の差分値が０に近い箇所で小さなピークになり、全体的に均一な出現頻度となっていることがわかる。これに対し、ショット境界を含まない場合には、画素の差分値が０に近い箇所で突出したピークになっていることがわかる。
【００２９】
図１及び図２に戻って、画素差分分布算出部１３は、動画像全体の全フレームについて前述の処理が完了すると（ステップＳ２４）、全フレーム完了の信号をショット境界あいまい性算出部１４に出力する。
【００３０】
ショット境界あいまい性算出部１４は、画素差分分布算出部１３から全フレーム完了の信号を入力すると、画素差分分布記憶部２３からショット境界を含む場合の画素差分分布及びショット境界を含まない場合の画素差分分布を読み出し、以下の式により動画像におけるショット境界のあいまい性を算出する（ステップＳ２５）。
【数４】
2008124611.tif 000006
ここで、Ｏｂｓはあいまい性、ｔｈｒは画素差分値の閾値、Ｖは画素差分値の量子化ステップ数をそれぞれ示す。また、ＨｉｓｔＳＢ（ｖ）は、ショット境界を含む場合の分布において値がｖであるときの出現頻度（出現確率）を示し、ＨｉｓｔＮＳＢ（ｖ）はショット境界を含まない場合の分布において値がｖであるときの出現頻度を示す（（３）式により算出された動画像全体に対する画素差分分布を示す）。尚、あいまい性は、０≦Ｏｂｓ≦１００の範囲の値である。
【００３１】
図６は、ドラマ番組を対象とする動画像の場合の画素差分分布Ｈｉｓｔ（ｖ）例及びあいまい性の値を示す図である。また、図７は、サッカー番組を対象とする動画像の場合の画素差分分布Ｈｉｓｔ（ｖ）例及びあいまい性を示す図である。図６及び図７によれば、カメラの動きがほとんどない図６の動画像の方が、カメラの動きが激しい図７の動画像よりも、ショット境界を含む場合の分布と含まない場合の分布とが近接していないことがわかる。この場合、前述の（４）式により、図６のあいまい性は３．２８２８であり、図７のあいまい性は９．７４３６である。したがって、カメラの動きがほとんどないドラマ番組や教育番組の場合にはあいまい性の値は小さくなり、カメラの動きが激しいスポーツ番組の場合にはあいまい性の値は大きくなる。
【００３２】
図８は、画素差分分布算出部１３により算出された動画像全体における画素差分分布Ｈｉｓｔ（ｖ）において、ショット境界の検出が容易な例及び困難な例を示す図である。図７左図に示すように、ショット境界を含む場合の分布と含まない場合の分布とが近接していないときは、ショット境界が明確になり、あいまい性の値は小さくなり、その検出は容易になる。一方、右図に示すように、両分布が近接しているときは、ショット境界があいまいになり、あいまい性の値は大きくなり、その検出は困難になる。
【００３３】
以上のように、図１に示した実施例１の動画像評価装置１によれば、動画像におけるショット境界のあいまい性を定量的に算出することができ、その動画像の質を評価する際の指標の一つとして利用することが可能となる。例えば、どの程度の難しさの動画像に対してどの程度の性能を得られるかといった評価や、ある動画像に対して最適な装置を選択する等の用途に利用することができる。
【００３４】
また、図１に示した実施例１の動画像評価装置１によれば、動画像におけるショット境界のあいまい性を定量的に算出することにより、そのあいまい性の値に応じて処理を分岐させたり、閾値を変更したりすることができる。たとえば、あいまい性の値が大きい場合にブロックマッチング法を選択したり、その値が小さい場合に輝度差分を用いた手法を選択したり、その値が中間値の場合にヒストグラムを用いた手法を選択したり等、あいまい性の値に応じて処理を分岐させることができる。
【００３５】
また、図１に示した実施例１の動画像評価装置１によれば、動画像におけるショット境界のあいまい性を定量的に算出することにより、テレビ番組や映画等の制作者は、このあいまい性の値を、制作したコンテンツの質を評価するための指標として利用することができる。
【００３６】
また、図１に示した実施例１の動画像評価装置１によれば、動画像におけるショット境界のあいまい性を定量的に算出することにより、このあいまい性の値を、瞬時にショットの切り替えを行うカットの場合だけでなく、複数のフレームに渡って徐々に動画像の切り替えを行うディゾルブやワイプの場合における評価の指標として利用することができる。
【実施例２】
【００３７】
次に、実施例２について説明する。前述のように、実施例２は、動画像に含まれるショット境界が事前に判明していない場合の例である。図３は、本発明の実施の形態による実施例２の動画像評価装置の構成を示すブロック図である。また、図４は、実施例２の処理手順を示すフローチャート図である。この動画像評価装置２は、動画像入力部１１、ショット境界判定部３２、画素差分分布算出部１３、ショット境界あいまい性算出部１４、フレーム記憶部２２、及び画素差分分布記憶部２３を備えている。図１に示した実施例１の動画像評価装置１とこの実施例２の動画像評価装置２とを比較すると、両装置とも、動画像入力部１１、画素差分分布算出部１３、ショット境界あいまい性算出部１４、フレーム記憶部２２及び画素差分分布記憶部２３を備えている点で同一であるが、実施例２の動画像評価装置２が、ショット境界判定部１２とは異なるショット境界判定部３２を備えている点、及びショット境界情報記憶部２１を備えていない点で相違する。
【００３８】
また、実施例２の動画像評価装置２は、動画像に含まれるショット境界が事前に判明していない場合に、仮想的なショット境界であるみなし境界を設定し、フレーム間の画素差分分布をみなしショット境界を含む場合と含まない場合とに区別してそれぞれ算出し、動画像全体に対する画素差分分布をみなしショット境界を含む場合と含まない場合とに区別してそれぞれ算出し、そして、動画像に対するあいまい性を算出する。以下、具体的に説明する。尚、動画像入力部１１、画素差分分布算出部１３、ショット境界あいまい性算出部１４、フレーム記憶部２２及び画素差分分布記憶部２３は、図１に示した実施例１のものと同一であるので、ここでは説明を省略する。
【００３９】
ショット境界判定部３２は、動画像入力部１１からフレームを入力し、図示しないタイマーにより時間をカウントし、予め設定された時間（例えば１０秒）が経過する毎に、その入力したフレームがショットの先頭フレームであると仮想的に判定し（ステップＳ３１）、ショット境界有の信号を画素差分分布算出部１３に出力する。また、予め設定された時間が経過していない場合は、ショット境界無の信号を画素差分分布算出部１３に出力する。すなわち、予め設定された時間のタイミングのフレームをショット境界のフレームであるとみなし、みなしショット境界有の信号を出力する。それ以外のタイミングではショット境界でないとみなし、みなしショット境界無の信号を出力する。
【００４０】
画素差分分布算出部１３は、ショット境界判定部３２により判定されたみなしショット境界有無の信号を入力し、この信号を用いて、図１に示した実施例１の場合と同様に、（２）式によりフレーム間の画素差分分布をみなしショット境界を含む場合と含まない場合とに区別してそれぞれ算出し、（３）式により動画像全体に対する画素差分分布をみなしショット境界を含む場合と含まない場合とに区別してそれぞれ算出する（ステップＳ３２，３３，３４）。また、ショット境界あいまい性算出部１４は、図１に示した実施例１の場合と同様に、（４）式により動画像に対するあいまい性を算出する（ステップＳ３５）。
【００４１】
ここで、ショット境界判定部３２において、予め設定された時間は、１０秒であることが望ましい。これは、通常のコンテンツの動画像において、ショット境界のタイミングは１０秒に１回程度であることが統計的及び経験的に認識されているからである。この場合、３０フレーム／秒の動画像では、ショット境界の発生頻度が０．３％程度となる。したがって、画素差分分布算出部１３が（３）式により算出する、みなしショット境界を含まない場合の動画像全体に対する画素差分分布は、実際のショット境界の画素差分分布が含まれるとしてもその誤差が０．３％程度に過ぎないから、ほぼ正確な分布になると考えられる。また、みなしショット境界を含まない場合の動画像全体に対する画素差分分布の算出においては、１つのショット内に複数のみなしショット境界が含まれる可能性はあるが、動画像が十分に長い（動画像のフレームの数が十分に多い）場合には、１つのショット内に複数のみなしショット境界が含まれることによる誤差は無視できるものとなる。つまり、みなしショット境界を含まない場合の動画像全体に対する画素差分分布は、動画像が時間的に長くなればなる程、正確な分布に近くなると考えられる。
【００４２】
以上のように、図３に示した実施例２の動画像評価装置２によれば、動画像に含まれるショット境界が事前に判明していない場合であっても、動画像におけるショット境界のあいまい性を定量的に算出することができ、その動画像の質を評価する際の指標の一つとして利用することが可能となる。また、図３に示した実施例２の動画像評価装置２によれば、図１に示した実施例１の動画像評価装置１と同様の効果を奏する。
【００４３】
尚、実施例１の動画像評価装置１及び実施例２の動画像評価装置２は、ＣＰＵ、ＲＡＭ等の揮発性の記憶媒体、ＲＯＭ等の不揮発性の記憶媒体、及びインターフェース等を備えたコンピュータによって構成される。動画像評価装置１に備えた動画像入力部１１、ショット境界判定部１２、画素差分分布算出部１３、ショット境界あいまい性算出部１４、ショット境界情報記憶部２１、フレーム記憶部２２及び画素差分分布記憶部２３の各機能、及び、動画像評価装置２に備えた動画像入力部１１、ショット境界判定部３２、画素差分分布算出部１３、ショット境界あいまい性算出部１４、フレーム記憶部２２及び画素差分分布記憶部２３の各機能は、これらの機能を記述したプログラムをＣＰＵに実行させることによりそれぞれ実現される。また、これらのプログラムは、磁気ディスク（フロッピィーディスク、ハードディスク等）、光ディスク（ＣＤ−ＲＯＭ、ＤＶＤ等）、半導体メモリ等の記憶媒体に格納して頒布することもできる。
【図面の簡単な説明】
【００４４】
【図１】本発明の実施の形態による実施例１の動画像評価装置の構成を示すブロック図である。
【図２】図１の動画像評価装置による処理手順を示すフローチャート図である。
【図３】本発明の実施の形態による実施例２の動画像評価装置の構成を示すブロック図である。
【図４】図３の動画像評価装置による処理手順を示すフローチャート図である。
【図５】画素差分分布算出部により算出される画素差分分布例を示す図である。
【図６】ドラマ番組を対象とする動画像の場合の画素差分分布例及びあいまい性を示す図である。
【図７】サッカー番組を対象とする動画像の場合の画素差分分布例及びあいまい性を示す図である。
【図８】ショット境界の検出が容易な画素差分分布例及び困難な画素差分分布例を示す図である。
【符号の説明】
【００４５】
１，２  動画像評価装置
１１  動画像入力部
１２，３２  ショット境界判定部
１３  画素差分分布算出部
１４  ショット境界あいまい性算出部
２１  ショット境界情報記憶部
２２  フレーム記憶部
２３  画素差分分布記憶部
【図１】
2008124611.tif 000007
【図２】
2008124611.tif 000008
【図３】
2008124611.tif 000009
【図４】
2008124611.tif 000010
【図５】
2008124611.tif 000011
【図６】
2008124611.tif 000012
【図７】
2008124611.tif 000013
【図８】
2008124611.tif 000014